(57)【要約】  情報を送信する送信器（１１６）及び前記情報を受信する受信器（１２６）は、同一の送信又は同一の受信において結合されたプライマリメッセージ及びセカンダリメッセージを有する前記情報により規定され、前記プライマリ及びセカンダリメッセージは、通信プロトコル信号メッセージを有し、プロトコル変換構成が追加され、送信器（１１６）と受信器（１２６）との間に配置される必要があることを回避する。これは、送信器（１１６）と受信器（１２６）との効率を増大する。プライマリ及びセカンダリ通信プロトコルメッセージは、８０２．１１ａ及び８０２．１１ｎのような新しい規格のような第１及び第２の規格に従う。受信器（１２６）は、受信器（１２６）が前記第１又は第２の規格に従う場合に前記プライマリ又はセカンダリ通信プロトコルメッセージを検出することができる。前記セカンダリメッセージは、変調により、又は変調コンスタレーションのセットのサブセットの選択により、前記プライマリメッセージに埋め込まれる。
2008502197.tif 000002
【特許請求の範囲】
【請求項１】
受信器に情報を送信する送信器において、前記情報が、同一の送信において結合されたプライマリメッセージ及びセカンダリメッセージを有し、前記プライマリメッセージ及び前記セカンダリメッセージが、通信プロトコル信号メッセージを有する、送信器。
【請求項２】
前記プライマリ通信プロトコルメッセージが第１の規格に従い、前記セカンダリ通信プロトコルメッセージが第２の規格に従い、前記受信器が前記第１の規格に従う場合に前記受信器が前記プライマリ通信プロトコルメッセージを検出することができ、前記受信器が前記第２の規格に従う場合に前記受信器が前記セカンダリ通信プロトコルメッセージを検出することができる、請求項１に記載の送信器。
【請求項３】
前記第１の規格が８０２．１１ａであり、前記第２の規格がより新しい規格である、請求項２に記載の送信器。
【請求項４】
前記プライマリメッセージ及び前記セカンダリメッセージがデジタルメッセージである、請求項１に記載の送信器。
【請求項５】
前記セカンダリメッセージが、前記プライマリメッセージの少なくとも一部の変調により、及び／又は変調コンスタレーションのセットのサブセットの選択により前記プライマリメッセージに埋め込まれ、前記変調コンスタレーションのセットが基準グリッドとして使用される、請求項１に記載の送信器。
【請求項６】
前記セカンダリメッセージが、前記情報において使用されるフレームのタイプ、前記送信器により使用されるアンテナの数、方式、レート及び／又は符号を規定する、請求項１に記載の送信器。
【請求項７】
送信器から情報を受信する受信器において、前記情報が、同一の送信において結合されたプライマリメッセージ及びセカンダリメッセージを有し、前記プライマリメッセージ及び前記セカンダリメッセージが、通信プロトコル信号メッセージを有する、受信器。
【請求項８】
前記プライマリ通信プロトコルメッセージが第１の規格に従い、前記セカンダリ通信プロトコルメッセージが第２の規格に従い、前記受信器が前記第１の規格に従う場合に前記受信器が前記プライマリ通信プロトコルメッセージを検出することができ、前記受信器が前記第２の規格に従う場合に前記受信器が前記セカンダリ通信プロトコルメッセージを検出することができる、請求項７に記載の受信器。
【請求項９】
前記第１の規格が８０２．１１ａであり、前記第２の規格がより新しい規格である、請求項８に記載の受信器。
【請求項１０】
前記プライマリメッセージ及び前記セカンダリメッセージがデジタルメッセージである、請求項７に記載の受信器。
【請求項１１】
前記セカンダリメッセージが、前記プライマリメッセージの少なくとも一部の変調により、及び／又は変調コンスタレーションのセットのサブセットの選択により前記プライマリメッセージに埋め込まれ、前記変調コンスタレーションのセットが基準グリッドとして使用される、請求項７に記載の受信器。
【請求項１２】
前記セカンダリメッセージが、前記情報において使用されるフレームのタイプ、前記送信器により使用されるアンテナの数、方式、レート及び／又は符号を規定する、請求項７に記載の受信器。
【請求項１３】
請求項１ないし６のいずれか一項に記載の送信器と、請求項７ないし１２のいずれか一項に記載の受信器とを有する装置。
【請求項１４】
送信器と受信器との間で情報を交換する方法において、前記情報が、同一の送信において結合されたプライマリメッセージ及びセカンダリメッセージを有し、前記プライマリメッセージ及び前記セカンダリメッセージが、通信プロトコル信号メッセージを有する、方法。
【請求項１５】
前記プライマリ通信プロトコルメッセージが第１の規格に従い、前記セカンダリ通信プロトコルメッセージが第２の規格に従い、前記受信器が前記第１の規格に従う場合に前記受信器が前記プライマリ通信プロトコルメッセージを検出することができ、前記受信器が前記第２の規格に従う場合に前記受信器が前記セカンダリ通信プロトコルメッセージを検出することができる、請求項１４に記載の方法。
【請求項１６】
前記第１の規格が８０２．１１ａであり、前記第２の規格がより新しい規格である、請求項１５に記載の方法。
【請求項１７】
前記プライマリメッセージ及び前記セカンダリメッセージがデジタルメッセージである、請求項１４に記載の方法。
【請求項１８】
前記セカンダリメッセージが、前記プライマリメッセージの少なくとも一部の変調により、及び／又は変調コンスタレーションのセットのサブセットの選択により前記プライマリメッセージに埋め込まれ、前記変調コンスタレーションのセットが基準グリッドとして使用される、請求項１４に記載の方法。
【請求項１９】
前記セカンダリメッセージが、前記情報において使用されるフレームのタイプ、前記送信器により使用されるアンテナの数、方式、レート及び／又は符号を規定する、請求項１４に記載の方法。
【請求項２０】
送信器と受信器との間で交換される信号において、前記信号が、同一の送信において結合されたプライマリメッセージ及びセカンダリメッセージを有し、前記プライマリメッセージ及び前記セカンダリメッセージが、通信プロトコル信号メッセージを有する、信号。
【発明の詳細な説明】
【技術分野】
【０００１】
本発明は、受信器に情報を送信する送信器に関し、送信器から情報を受信する受信器、前記送信器を有する及び／又は前記受信器を有する装置、送信器と受信器との間で情報を交換する方法、並びに信号に関する。
【０００２】
このような装置の例は、携帯電話、パーソナル・デジタル・アシスタント、デスクトップ及び／又はラップトップ及び／又はハンドヘルド型コンピュータ、並びに無線インターフェースである。
【背景技術】
【０００３】
従来の構成は、プロトコル変換構成を開示する欧州特許第ＥＰ０７４２６６２Ａ１号公開公報から既知である。このプロトコル変換構成は、第１のプロトコルに基づく第１の構成と第２のプロトコルに基づく第２の構成との間に配置され、第１の情報要素を記憶された第２の情報要素、及び場合により記憶された第３の情報要素と比較し、１つ以上の比較結果に依存して前記第１の情報要素又は前記第２の情報要素のいずれかを転送する。
【０００４】
前記既知の構成は、特に、追加されなければならずかつ前記第１の構成と前記第２の構成との間に配置されなければならない追加の構成を形成するという事実のため、不利である。
【発明の開示】
【発明が解決しようとする課題】
【０００５】
本発明の第１の目的は、特に、追加の構成が追加され、かつ送信器と受信器との間に配置されることを必要としない送信器を提供することである。本発明の第２の目的は、特に、追加の構成が追加され、かつ送信器と受信器との間に配置されることを必要としない受信器を提供することである。本発明の他の目的は、特に、このような送信器を有する及び／又はこのような受信器を有する装置を提供すること、送信器と受信器との間で情報を交換する方法を提供すること、並びに追加の構成が追加され、かつ送信器と受信器との間に配置されることを必要としない前記送信器と前記受信器との間で交換されるべき信号を提供することである。
【課題を解決するための手段】
【０００６】
受信器に情報を送信する本発明による送信器は、前記情報が同一の送信において結合されたプライマリメッセージ及びセカンダリメッセージを有することにより規定され、前記プライマリメッセージ及び前記セカンダリメッセージは、通信プロトコル信号メッセージを有する。送信器から情報を受信する本発明による受信器は、前記情報が同一の送信において結合されたプライマリメッセージ及びセカンダリメッセージを有することにより規定され、前記プライマリメッセージ及び前記セカンダリメッセージは、通信プロトコル信号メッセージを有する。
【０００７】
少なくとも１つの通信プロトコル信号メッセージをそれぞれ有するプライマリメッセージ及びセカンダリメッセージであって、前記プライマリメッセージ及び前記セカンダリメッセージが送信器の視点から同一の送信において送信される情報の一部を形成する、又は前記プライマリメッセージ及び前記セカンダリメッセージが受信器の視点から同一の受信において受信される情報の一部を形成する前記プライマリメッセージ及び前記セカンダリメッセージを導入することにより、プロトコル変換構成を追加し、前記送信器と前記受信器との間のこのプロトコル変換構成を配置することは、もはや必要ではない。これは大きな利点である。
【０００８】
本発明の範囲から逸脱することなく、前記プライマリメッセージ及び前記セカンダリメッセージは、更に他のメッセージ及び／又は他の情報を有してもよく、前記情報が、更に他のメッセージ及び／又は他の情報を有してもよく、同一の送信及び／又は同一の受信が、更に他のメッセージ及び／又は他の情報を有してもよい。本発明による送信器、及び本発明による受信器は、追加の構成が前記送信器と前記受信器との間に配置されることを必要としないが、追加の構成が前記送信器と前記受信器との間に配置される（ことになる）場合を除外しない。
【０００９】
本発明は、特に、同一の送信において送信される又は同一の受信において受信されるプライマリメッセージ及びセカンダリメッセージの結合体が前記送信器及び前記受信器の効率を増大させる点で更に有利である。
【００１０】
本発明の一態様は、１回の送信及び／又は１回の受信において、前記プライマリメッセージ及び前記セカンダリメッセージが、プライマリ通信プロトコル信号メッセージ及びセカンダリ通信プロトコル信号メッセージを有し、前記受信器がプライマリタイプである場合に前記プライマリ通信プロトコル信号メッセージが前記受信器に向かうことになり、前記受信器がセカンダリタイプである場合には前記セカンダリ通信プロトコル信号メッセージが前記受信器に向かうことになるものである。これにより、前記プライマリ及びセカンダリ通信プロトコル信号メッセージは、異なるメッセージであり、前記プライマリ及びセカンダリ受信器タイプは、異なる受信器タイプである。したがって、前記受信器が前記プライマリタイプである場合、前記受信器は、前記プライマリ通信プロトコル信号メッセージを検出することができ、前記受信器が前記セカンダリタイプである場合、前記受信器は、少なくとも前記セカンダリ通信プロトコル信号メッセージを検出することができ、前記送信器は前記受信機タイプを知る必要は無い。
【００１１】
本発明による前記送信器の一実施例は、前記プライマリ通信プロトコルメッセージが第１の規格に従い、前記セカンダリ通信プロトコルメッセージが第２の規格に従うことにより規定される。本発明による前記受信器の一実施例は、前記プライマリ通信プロトコルメッセージが第１の規格に従い、前記セカンダリ通信プロトコルメッセージが第２の規格に従うことにより規定される。両方の実施例に対して、前記受信器は、前記受信器が前記第１の規格に従う場合には前記プライマリ通信プロトコルメッセージを検出することができ、前記受信器は、前記受信器が前記第２の規格に従う場合には前記セカンダリ通信プロトコルメッセージを検出することができる。
【００１２】
異なる規格に従う異なる通信プロトコルメッセージを導入することにより、これらの規格は、プロトコル変換構成が追加される必要なく、かつ前記送信器と前記受信器との間に配置される必要なく、並列して使用されることができる。前記受信器がそれぞれ第１及び／又は第２の規格に従う場合に前記受信器がそれぞれプライマリ及び／又はセカンダリ通信プロトコルメッセージを検出することができるようにすることにより、２つの異なる受信器が、同じ情報を受信するために使用されることができる。これは、例えば、古い及び新しい受信器が、１つ以上の送信器及び１つ以上の古い受信器及び１つ以上の新しい受信器を有する１つのシステムにおいて並列して使用されることを可能にする。
【００１３】
最小の状況において、前記第１の規格に従う受信器は、前記プライマリ通信プロトコルメッセージを検出することができるべきであり、前記第２の規格に従う受信器は、前記セカンダリ通信プロトコルメッセージを検出することができるべきである。好適な状況において、前記第２の規格に従う受信器は、前記プライマリ通信プロトコルメッセージをも検出することができる。用語"規格"は、"規格"又は"プロトコル"に対応し得るが、"クラス"、"モード"又は"構成"に対応してもよく、過度に限定的に解釈されるべきでない。用語"受信器が特定の規格に従う場合に特定の通信プロトコルメッセージを検出することができる前記受信器"も、過度に限定的に解釈されるべきではなく、"前記受信器が特定の規格、プロトコル、クラス、モード又は構成に切り替えられる場合に特定の通信プロトコルメッセージを検出することができる切り替え可能な受信器"をも含み得る。
【００１４】
本発明による前記送信器の一実施例は、前記第１の規格が８０２．１１ａであり、前記第２の規格がより新しい規格であることにより規定される。本発明による前記受信器の一実施例は、前記第１の規格が８０２．１１ａであり、前記第２の規格がより新しい規格であることにより規定される。結果として、例えば８０２．１１ｎ規格のようなより新しい規格は、８０２．１１ａ規格と下位互換性を持つようになっている。他の規格は除外されるべきでない。
【００１５】
本発明による前記送信器の一実施例は、前記プライマリ及びセカンダリメッセージがデジタルメッセージであることにより規定される。本発明による前記受信器の一実施例は、前記プライマリ及びセカンダリメッセージがデジタルメッセージであることにより規定される。結果として、デジタルウォーターマーク技術が、通信プロトコル技術に導入されている。
【００１６】
本発明による前記送信器の一実施例は、前記セカンダリメッセージが、前記プライマリメッセージの少なくとも一部の変調により、及び／又は変調コンスタレーション（modulation constellation）のセットのサブセットの選択により前記プライマリメッセージに埋め込まれ、前記変調コンスタレーションのセットが基準グリッド（reference grid）として使用されることにより規定される。本発明による前記受信器の一実施例は、前記セカンダリメッセージが、前記プライマリメッセージの少なくとも一部の変調により、及び／又は変調コンスタレーションのセットのサブセットの選択により前記プライマリメッセージに埋め込まれ、前記変調コンスタレーションのセットが基準グリッドとして使用されることにより規定される。
【００１７】
前記変調は、振幅変調、電力変調、周波数変調及び／又は位相変調を有し得るが、他の変調を除外しない。前記変調コンスタレーションのセットのサブセットの選択は、振幅直交変調コンスタレーションのセットのサブセットの選択を有し得るが、他のコンスタレーションを除外しない。結果として、高度に効率的な送信器及び高度に効率的な受信器が作成された。
【００１８】
本発明による前記送信器の一実施例は、前記セカンダリメッセージが、前記情報内で使用されるフレームのタイプ、前記送信器により使用されるアンテナの数、方式、レート及び／又は符号を規定することにより規定される。本発明による前記受信器の一実施例は、前記セカンダリメッセージが、前記情報内で使用されるフレームのタイプ、前記送信器により使用されるアンテナの数、方式、レート及び／又は符号を規定することにより規定される。
【００１９】
前記フレームのタイプは、例えば、前記情報の特定のタイプが８０２．１１ａフレーム又は８０２．１１ｎフレームであることを示すが、他の種類のフレームを除外しない。前記送信器により使用されるアンテナの数は、例えば、前記受信器に到着するストリームの数と等しいが、他の状況を除外しない。前記方式は、例えば、前記送信器により使用される変調方式を規定するが、他の方式を除外しない。前記レートは、例えば、前記送信器により使用される符号レートを規定するが、他の種類のレートを除外しない。前記符号は、例えば、前記送信器により使用されるエラー訂正符号を規定するが、伝送符号及び暗号化符号のような他の種類の符号を除外しない。
【００２０】
本発明による装置、本発明による方法及び本発明による信号の実施例は、本発明による前記送信器及び本発明による前記受信器の実施例に対応する。
【００２１】
本発明は、特に、送信器と受信器との間に通信プロトコル信号メッセージの追加のプロトコル変換が回避されるという洞察に基づき、特に、プライマリメッセージ及びセカンダリメッセージが同一の送信に結合され、前記プライマリ及びセカンダリメッセージが少なくとも１つの通信プロトコル信号メッセージをそれぞれ有するという基本的なアイデアに基づく。
【００２２】
本発明は、特に、追加の構成が追加されかつ送信器と受信器との間に配置されることを必要としない送信器を提供するという問題、及び追加の構成が追加されかつ送信器と受信器との間に配置されることを必要としない受信器を提供するという問題を解決し、特に、同一の送信において送信される又は同一の受信において受信される前記プライマリ及びセカンダリメッセージの結合体は、前記送信器及び前記受信器の効率を増大させる。
【００２３】
本発明のこれら及び他の態様は、以下に記載される実施例を参照して説明され、明らかになる。
【発明を実施するための最良の形態】
【００２４】
例えば無線ローカルエリアネットワーク多入力多出力送受信器のような図１に示される多入力多出力装置１００は、例えば、第１の送信アナログユニット１１０と、第１のデジタル／アナログ変換器１１２と、第１のマルチプレクサ１１４とを介して送信エンコーダ１１６に結合された第１の送信アンテナを有する第１の出力段を有し、例えば、第２の送信アナログユニット１１１と、第２のデジタル／アナログ変換器１１３と、第２のマルチプレクサ１１５とを介して送信エンコーダ１１６に結合された第２の送信アンテナを有する第２の出力段を有する。送信アナログユニット１１０及び１１１は、例えば、電力増幅器をそれぞれ有し、マルチプレクサ１１４及び１１５は、例えば、直交周波数分割マルチプレクサ（ＯＦＤＭ）をそれぞれ有する。送信エンコーダ１１６の入力部は、プリプロセッサ１１７の出力部に結合され、送信エンコーダ１１６の他の入力部は、送信コントローラ１３４の出力部に結合される。送信コントローラ１３４の入力部は、リアルタイム媒体アクセス制御ユニット１３７の出力部に結合される。プリプロセッサ１１７の入力部は、インターフェースユニット１０１の出力部に結合され、プリプロセッサ１１７の他の出力部は、リアルタイム媒体アクセス制御ユニット１３７の他の出力部に結合される。
【００２５】
図１に示される多入力多出力装置１００は、例えば、第１の受信アナログユニット１２０と、第１のアナログ／デジタル変換器１２２と、第１の内部受信器１２４とを介して外部受信器１２６に結合された第１の受信アンテナを有する第１の入力段を更に有し、第２の受信アナログユニット１２１と、第２のアナログ／デジタル変換器１２３と、第２の内部受信器１２５とを介して外部受信器１２６に結合された第２の受信アンテナを有する第２の入力段を有する。受信アナログユニット１２０及び１２１は、例えば、フロントエンドをそれぞれ有する。外部受信器１２６の出力部は、ポストプロセッサ１２７の入力部に結合され、外部受信器１２６の入力部は、受信コントローラ１３５の出力部に結合される。受信コントローラ１３５の他の出力部は、リアルタイム媒体アクセス制御ユニット１３７の入力部に結合される。ポストプロセッサ１２７の出力部は、インターフェースユニット１０１の入力部に結合され、ポストプロセッサ１２７の他の出力部は、リアルタイム媒体アクセス制御ユニット１３７の他の入力部に結合される。受信コントローラ１３５の他の入力部は、内部受信器１２４及び１２５の出力部に結合される。
【００２６】
インターフェース１０１は、構成及びシステム管理ユニット１０２、ホストユニット１０３、及び媒体アクセス制御ユニット１０３に更に結合される及び／又はこれらを有する。ホストユニット１０２は、ユニット１０１及び１０３と更に通信することができ、図示されていない他の機器に更に結合される。各ブロック１１６−１１７−１２６−１２７−１３４−１３５−１３７及び／又は各ユニット１０１−１０４は、ハードウェアであってもよく、又はプロセッサにより実行されるべきソフトウェアであってもよく、又はハードウェア及びソフトウェアの混合体であってもよい。
【００２７】
図２に示される模範的な送信器１は、コントローラ１１と、送信されるべきプライマリメッセージを受信する入力部を有する巡回冗長検査（cyclic redundancy check）ユニット１２とを有する。巡回冗長検査ユニット１２の出力部は、スクランブラ（scrambler）１３の入力部に結合され、スクランブラ１３の出力部は、エンコーダ１４の入力部に結合され、エンコーダ１４の出力部は、インターリーバ（interleaver）１５の入力部に結合され、インターリーバ１５の出力部は、マッパ（mapper）１６の入力部に結合される。マッパ１６は、セカンダリメッセージを前記プライマリメッセージに埋め込むウォーターマーク埋め込み器１７の出力部に結合された他の入力部を有する。前記ウォーターマーク埋め込み器の入力部は、前記セカンダリメッセージを受信するためにコントローラ１１の出力部に結合される。マッパ１６は、送信されるべき情報を生成する出力部を更に有し、前記情報は、同一の送信において結合されるプライマリメッセージ及びセカンダリメッセージを有し、前記プライマリ及びセカンダリメッセージは、通信プロトコル信号メッセージを有する。送信器１は、例えば、図１に示される送信エンコーダ１１６と対応する。この場合、図１に示される装置１００は、本発明による装置になっている。
【００２８】
図３に示される模範的な受信器２は、コントローラ２１と、前記情報を受信する入力部を有するデマッパ（demapper）２２とを有し、前記情報が、同一の受信において結合される前記プライマリメッセージ及び前記セカンダリメッセージを有し、前記プライマリ及びセカンダリメッセージは、通信プロトコル信号メッセージを有する。ウォーターマーク検出器２７の入力部も、前記送信された情報を受信するためにデマッパ２２の入力部に結合される。デマッパ２２出力部は、デインターリーバ（deinterleaver）２３の入力部と、ウォーターマーク検出器２７の他の入力部とに結合され、前記送信された情報内の前記プライマリメッセージから前記セカンダリメッセージを抽出する。デインターリーバ２３の出力部は、デコーダ２４の入力部に結合され、デコーダ２４の出力部は、デスクランブラ（descrambler）２５の入力部に結合され、デスクランブラ２５の出力部は、巡回冗長検査ユニット２６の入力部に結合される。ウォーターマーク検出器２７の出力部は、コントローラ２１の入力部に結合され、前記セカンダリメッセージを供給する。巡回冗長検査ユニット２６は、出力部を有し、前記プライマリメッセージを生成する。受信器２は、例えば、図１に示される外部受信器１２６と対応する。この場合、図１に示される装置１００は、本発明による装置になっている。
【００２９】
図２ないし３において、いずれのユニット及び／又はいずれのブロックも、ハードウェアであってもよく、又はプロセッサにより実行されるべきソフトウェアであってもよく、又はハードウェア及びソフトウェアの混合体であってもよい。
【００３０】
図４に示される模範的な検出のフローチャートにおいて、以下のブロックは以下の意味を有する。
ブロック３１：前記送信される情報のプリアンブル（preamble）の検出。
ブロック３２：前記検出されたプリアンブルを復号する。
ブロック３３：ウォーターマークを検出する。
ブロック３４：前記検出されたウォーターマークを所定のマークと比較する。等しい場合には、ブロック３５に進み、等しくない場合には、ブロック３６に進む。
ブロック３５：フレームが第１のタイプのフレームであり、これに応じて復号する。
ブロック３６：フレームが第２（第３）のタイプのフレームである。
ブロック３７：これに応じて復号する。
【００３１】
前記プライマリ通信プロトコルメッセージが第１の規格"８０２．１１ａ"に従い、前記セカンダリ通信プロトコルメッセージが第２の規格"８０２．１１ｎ"に従う場合、図４に示される模範的な検出は、以下のようになる。"８０２．１１ａ"プリアンブルが検出される（ブロック３１）。"８０２．１１ａ"信号フィールドが復号される（ブロック３２）。埋め込まれた符号語Ｂが検出される（ブロック３３）。符号語Ｂが所定の符号語Ｂ０と比較される（ブロック３４）。等しい場合には、フレームは"８０２．１１ａ"フレームであり、復号は、前記信号フィールドにより実行されるべきである（ブロック３５）。等しくない場合には、符号語Ｂは、ｉ＝１,...,ｋとしてＢｉに等しくなくてはならない（ブロック３６）。フレームは、モードｉである"８０２．１１ｎ"フレームであり、復号は、前記プリアンブルの残り及び前記フレームの残りに対して実行されるべきである。ブロック３３を実現するために、例えばＭＭＳＥ検出器が使用されることができる。このような検出器は、例えば、全ての符号語Ｂ＝{Ｂ０...Ｂｋ}に対して||Ｒ−ＨＢ||を計算し、Ｂをこの距離を最小化する符号語と等しく設定する。他の種類の検出器は除外されない。
【００３２】
このように、プライマリ信号及びセカンダリ信号は、同一の送信及び／又は同一の受信において結合されて交換される。前記セカンダリ信号は、前記信号が前記プライマリ信号のみの存在に対して設計及び最適化された第１のクラスの装置（例えばレガシー装置（legacy devices）、低電力装置、単純な装置等）により受信される場合でさえも、前記プライマリ信号の検出に影響を与えないように設計されることができる。同時に、第２のクラスの装置（例えば新しい装置、より性能が高い装置又は独自の規格外の革新を持つ装置等）は、前記プライマリ信号及び前記セカンダリ信号の両方、又は前記セカンダリ信号のみを確実に検出する。
【００３３】
重要な例は、前記第１のクラスの装置が送信バーストの初期化の間にプライマリＢＰＳＫを検出する無線ローカルエリアネットワークに対するプロトコルであり得る。前記第２のクラスの装置も、追加の（セカンダリ）信号を検出する。前記セカンダリ信号から、これらの装置は、送信が、より高いスループット及び／又はより良い信頼性を提供する多入力多出力（mimo）モードであることを知る。前記mimoモードに対して、トレーニング系列、プロトコル信号及び／又は変調方法は、レガシー規格のものとは異なる。
【００３４】
第１の応用例によると、マルチ装置無線ネットワークにおいて、中央ノード（例えばアクセスポイント、住居用ゲートウェイ、ＤＶＤ＋ＲＷプレーヤ等）は、レガシー規格を順守する装置及び新しい規格を理解する装置にメッセージを送信する。前記レガシー規格に対して、ここで基準として８０２．１１ａ（更に１１ａと称される）を使用してもよく、次の規格に対して、新しい規格に対する例として８０２．１１ｎ（更に１１ｎと称される）を使用してもよい。新しい１１ｎ装置に対する送信の開始時において、前記中央ノードは、前記１１ａタイプ及び前記１１ｎタイプを含む全ての装置に制御メッセージを送信する必要がある。古い装置は、送信が開始されることを理解する必要があるので、前記中央ノードは、プライマリ信号の形式の信号を送信する必要がある。更に、新しい装置は、前記送信が新しい形式であることをも理解しなくてはならず、この新しい装置は、このメッセージを搬送するセカンダリ信号を受信する必要がある。前記セカンダリ信号（メッセージ）は、好ましくは、前記プライマリ信号（メッセージ）と共に埋め込まれ、前記プライマリ信号は、前記プライマリ信号に記載されたように、前記レガシー装置に特定の持続期間に対して沈黙を継続させる。このようなメッセージは、前記規格の媒体アクセス制御層において存在し、規定される。１１ａＷｉＦｉの例の場合に、このメッセージは、ビットレート、符号化及び交換されるべきバイト数を含む。いずれの（レガシー又は新しい）受信器も、前記レートにより除算された長さとして前記送信の持続期間を決定することができる。これを全て説明するため、図５において、１１ａレガシー送信の信号フィールドが示される（Ｒ＝レート、４ビット、Ｌ＝長さ、１２ビット、及びＳＴ＝信号テール（SignalTail）、６ビット）。
【００３５】
mimoモードにおける１１ｎ装置に対する送信の開始時に、前記送信器は、存在する１１ａモードを選び、特定のビットＲ１−Ｒ４を選択し、対象とするmimo送信のメッセージと等しい長さの仮想メッセージを作成するために何バイトが送信される必要があるかを計算する。Ｌ（長さ、Length）フィールドは、これに応じて設定される。典型的には、mimo信号は、１１ａより高いレートで送信され、したがって、前記仮想メッセージは、推定上、例えば秒で表現される場合に同じ持続期間を持つように、実際の１１ｎメッセージより大きなＬ（長さ）に対する値を持つ。前記送信器は、この場合、外見的には、このような仮想メッセージに対するＬ（長さ）パラメータを含む信号フィールドメッセージ及びトレーニング系列を持つ１１ａ送信を開始する。しかしながら、前記送信器は、現実にmimo送信が進むことをmimo使用可能装置（１１ｎ装置）に通知する埋め込まれた（セカンダリ）メッセージをも追加し、前記埋め込まれた（セカンダリ）メッセージは、前記プライマリ信号フィールドメッセージで述べられたパラメータとは少なくとも１つのパラメータにおいて異なる。
【００３６】
前記セカンダリメッセージは、この場合、好ましくは、既に新しい伝送方式の鍵パラメータを持っている。このようなパラメータの例は、mimo空間的多重化伝送におけるアンテナの数、空間時間ブロック符号又はAlamouti方式が使用されるか否か、ビットレート、符号レート、エラー訂正符号の選択、相対的又は絶対的チャネル数を持つチャネル抑制方式（channel bounding scheme）の使用等である。このプライマリ及びセカンダリメッセージを受信した結果として、レガシー及び新しい装置は、前記チャネルがビジー状態であることを理解し、対象とする新しい装置は、新しいmimoモードにおいて次のストリームを処理しなければならないことを知る。
【００３７】
第２の及び他の応用例によると、本発明は、例えばブルートゥース環境のような非直交周波数分割多重環境において応用されることもできる。好ましくは、セカンダリ直接系列スペクトル拡散信号（direct-sequence spread spectrum signal）は、前記セカンダリ直接系列スペクトル拡散信号のチップレートがプライマリ・ブルートゥース信号のシンボルレートに等しくなるように前記プライマリ・ブルートゥース信号に加えられる。前記セカンダリ直接系列スペクトル拡散信号は、例えば、超広帯域（Ultra Wide Band）伝送を制御するパラメータを運ぶことができる。
【００３８】
図６において、模範的な変調が示される。送信信号は、ｒ(ｔ)＝ｒ１(ｔ)＋ｒ２(ｔ)であり、ここでｒ１(ｔ)は前記プライマリ信号であり、ｒ２(ｔ)は前記セカンダリ信号である。例えば、プライマリメッセージビットによるとｒ１(ｔ)＝＋１ボルト又は−１ボルトであり、セカンダリメッセージビットによるとｒ２(ｔ)＝＋０．１ボルト又は−０.１ボルトである。受信器は、好ましくは、少なくとも３つの電圧レベル、即ち−１ボルト、０ボルト及び＋１ボルトを持つスライサ（slicer）を実施することができる。受信される信号ｓ(ｔ)は、以下のように復号される。
ｓ(ｔ)＜−１ボルト  プライマリメッセージ"０"  セカンダリ信号"０"
−１ボルト＜ｓ(ｔ)＜０ボルト  プライマリメッセージ"０"  セカンダリ信号"１"
０ボルト＜ｓ(ｔ)＜＋１ボルト  プライマリメッセージ"１"  セカンダリ信号"０"
ｓ(ｔ)＞＋１ボルト  プライマリメッセージ"１"  セカンダリ信号"１"
【００３９】
明らかに、前記チャネルが雑音を含む場合、前記セカンダリ信号のビットエラーレートは、前記プライマリ信号のビットエラーレートより実質的に大きい。この効果は、強力なエラー訂正符号により補償されることができる。我々の例において、送信系列１０００１は、前記セカンダリ信号に対して論理"０"を識別するために使用されることができ、代替的に、送信系列０１１１０は、前記セカンダリ信号に対して論理"１"を識別するために使用されることができる。図６において、上のビット１１０１０はプライマリ信号ビットであり、下のビット１０００１はセカンダリ信号ビットである。
【００４０】
重要な応用例のセットは、プライマリ信号のみを持つ伝送とプライマリ及びセカンダリ信号を持つ伝送とを区別することに関する場合であり得る。この実施例において、前記受信器は、例えば、検出されたセカンダリ信号系列が１０００１及び０１１１０のいずれにも近く一致（closely match）しない場合に前記セカンダリ信号が不在であると決定することができる。ここで、近い一致とは、１シンボル以下のハミング距離として規定されることができる。系列１００００は、セカンダリメッセージ"０"として受容されるが、セカンダリ信号０１００１は、セカンダリメッセージが不在であると解釈される。
【００４１】
図７において、模範的な変調コンスタレーションが示される（階層変調に対する信号コンスタレーション）。これは、より洗練された実施例である。６４のサブキャリアを有する直交周波数分割多重信号の各サブキャリアは、直交振幅変調シンボルを含む。１６、６４又は２５６の直交振幅変調信号内の点のサブセットが使用される。横軸は、直交成分を規定し、縦軸は同相成分を規定する。６４直交振幅変調信号コンスタレーションが、基準グリッドとして使用される。プライマリメッセージ"０"又は"１"は、上の又は下の領域における点のいずれかを選択することにより送信される。セカンダリメッセージは、選択された領域内の４つの点のうち１つを選択することにより埋め込まれる。前記セカンダリメッセージの信頼性は、複数のサブキャリアにおけるエネルギを結合することにより、例えばマルチキャリアＣＤＭＡ（ＭＣ−ＣＤＭＡ）又は符号化ＯＦＤＭを使用することにより、向上される。
【００４２】
従来のアナログ軍用音声通信システムにおいて、送信器の強力なデジタル認証に対する要望が存在し、低ビットレートを持つ直接系列スペクトル拡散信号をＦＭ変調アナログ音声信号に付加することが提案されていることに注意されたい。前記拡散スペクトル信号は、前記送信器の又は前記送信器を動作するユーザのデジタル署名を含む。無線データシステム（ＲＤＳ）において、ＦＭ無線放送信号にデジタル信号を付加することが提案されている。ここで、数十ｋｂｉｔ／ｓの遅いデジタル信号は、モノ及びステレオオーディオ信号のアナログマルチプレクスの外に配置される。これらの信号は、一緒にＦＭ変調される。これと対照的に、本発明は、主に、両方ともデジタルであるプライマリ及びセカンダリ信号に応用する。
【００４３】
ウォーターマーキング（I.J. Cox, M. Miller, J.P.M.G. Linnartz and A.C.C. Kalker, "A review of watermarking principles and practices", Chapter 17 of "Digital Signal Processing for Multimedia Systems", K.K. Parhi and T. Nishitani (eds.), Marcel Dekker, Inc., New York, March 1999）は、オーディオ又はビデオコンテンツに追加のデータ（例えば著作権情報）を"埋め込む"既知の方法である。ここで、前記コンテンツは、前記プライマリ信号として機能し、ウォーターマークペイロードは、前記セカンダリ信号として機能する。本発明によると、ウォーターマーキング技術は、前記セカンダリ信号が１つ以上の通信プロトコルに１つ以上の信号メッセージを有するように応用され、及び／又はウォーターマーキング技術は、前記プライマリ信号が１つ以上の通信プロトコル内に１つ以上の信号メッセージを有するように応用される。ウォーターマーキング技術は、前記プライマリ信号が１つ以上のレガシー通信プロトコル（例えばＷｉＦｉＩＥＥＥ８０２．１１ａ，ブルートゥース）内に１つ以上の信号メッセージを有し、同時に前記セカンダリ信号が新世代の装置（例えば８０２．１１ｎ、新世代ＬＡＮ又はＰＡＮ規格）に関連した１つ以上の信号メッセージを有するように応用されることもできる。
【００４４】
階層変調は、独自のリンク品質をそれぞれ持つ受信器のセットに対して情報を放送する既知の概念である。前記変調は、良いチャネルを持つ受信器が、全ての（プライマリ及びセカンダリ）情報を抽出することができ、貧弱なチャネルを持つ受信器が、前記（プライマリ）情報の少なくとも一部を依然として回復することができるように選択される。この一部は、矛盾が無い情報コンテンツを形成するように選択される。これは、過去にデジタルテレビ放送に対して提案されている。典型的には、このプライマリ情報は、低解像度のビデオストリームである。前記セカンダリ情報を用いて、より高解像度のビデオが得られることができる。本発明によると、階層変調は、前記セカンダリ信号が１つ以上の通信プロトコル内に１つ以上の信号メッセージを有するように応用される。このアイデアは、トレーニングシーケンス、プロトコル制御メッセージ及び／又はユーザデータペイロードを含む様々なプライマリメッセージに応用されることができる。階層変調は、前記プライマリ信号が１つ以上の通信プロトコル内に１つ以上の信号メッセージを有するように応用されることもできる。階層変調は、前記プライマリ信号が１つ以上のレガシー通信プロトコル（例えばＷｉＦｉＩＥＥＥ８０２．１１ａ、ブルートゥース）内に１つ以上の信号メッセージを有し、同時に前記セカンダリ信号が新世代の装置（例えば８０２．１１ｎ、新世代ＬＡＮ又はＰＡＮ規格）に関連する１つ以上の信号メッセージを有するように応用されることもできる。同様に、前記セカンダリ信号は、より強力な装置に関連する１つ以上の信号メッセージを有してもよく、前記プライマリメッセージは低電力装置によってのみ検出される。
【００４５】
階層符号化は、異なるクラス（例えばレガシー及び新しいもの）からの受信器全てが高い信頼性で動作する必要がある設定において採用されることができる。前記プライマリメッセージは、全ての受信器により高い信頼性で復号されるべきであり、より弱いセカンダリメッセージは、同等に高い信頼性であるべきである。これは、強力な符号化利得又は拡散利得を前記セカンダリ信号に含めることにより達成されることができ、前記セカンダリ信号におけるより弱い信号電力を補償する。これは、セカンダリ信号がしばしば前記プライマリ信号より大きなレートを持つが、前記セカンダリ信号が良いチャネル条件下でのみ回復されることができる、階層符号化の従来の動作モードと対照的である。
【００４６】
マルチキャリアＣＤＭＡは、直接系列ＣＤＭＡをＯＦＤＭ伝送と組み合わせる拡散スペクトルの一形式である。ＭＣ−ＣＤＭＡは、１９９３年の公開文献（N. Yee, J.P.M.G. Linnartz and G. Fettweis, "Multi-Carrier CDMA in indoor wireless Radio Networks", IEEE Personal Indoor and Mobile Radio Communications (PIMRC) Int. Conference, Sept. 1993, Yokohama, Japan, pp. 109-113）に開示されている。ＭＣ−ＣＤＭＡは、ビデオストリームのような情報の送信に対して提案されており、符号化ＯＦＤＭの代替案と見なされる。本発明によると、ＭＣ−ＣＤＭＡは、プライマリＯＦＤＭ信号の上にセカンダリ信号として重ねられることができる。
【００４７】
本発明は、無線通信用の受信器及び送信器に応用されることができる。したがって、本発明は、無線リンクを信頼する装置の動作を向上させる。本発明は、デジタル無線リンクを持つ家庭用電子機器（テレビ、無線ルータ、ハブ、無線ビデオストリーマ、無線ビデオ配信用クライアント、ビデオ、音楽及び画像記憶装置）で使用されることができ、デジタル無線リンクを介して制御又は送信する専門家用装置、企業用装置、軍用装置にも使用されることができる。これは、病院ネットワーク又は公共無線ＬＡＮ規格に基づく装置に対する特定の拡張を利用するために使用されることができる。この解決法は、例えば自動車間、又は自動車と道端の通信ポストとの間の、車両用通信に応用されることができる。
【００４８】
この解決法は、プライマリ規格を理解する装置が特定の期間中に沈黙したままであることを保証することを望むセカンダリ規格のシステムにより使用されることができる。しばしば、規格のＰＨＹ又はＭＡＣ層において、装置が進行中の伝送に対するチャネルに注意するべきであることが規定される。特に、メッセージが傍受され、前記チャネルが特定の時間期間に対してビジー状態であることを示す場合、他の装置は、当該期間の間、沈黙したままである。本発明によると、前記プライマリメッセージは、前記プライマリ規格に従って選択され、前記セカンダリメッセージは、前記セカンダリ規格に準拠する装置により理解されるように選択される。前記セカンダリ規格は８０２．１１ｎであってもよく、前記プライマリ規格は８０２．１１ａ又は８０２．１１ｇであってもよい。前記セカンダリ規格は、１Ｇｂｉｔ／ｓ以上のスループットを持つＷＬＡＮであってもよく、前記プライマリ規格は８０２．１１ｎであってもよい。前記セカンダリ規格は、病院ネットワークであってもよく、前記プライマリ規格は８０２．１１ａ又は８０２．１１ｇであってもよい。これは他の例を除外しない。
【００４９】
レガシー装置との整合性のために、１１ｎ伝送は、ビジー状態のチャネルを１１ａ装置に信号通知するために、１１ａプリアンブルを用いて開始することができることに更に注意すべきである。このプリアンブルの後に、１１ａ装置は、どれだけの持続期間に対して前記チャネルがビジー状態であるかを理解しなくてはならず、目標とされる１１ｎ装置は、mimo伝送が後に続くことを理解しなくてはならず、前記目標とされる１１ｎ装置は、使用されるべきビットレート及び符号化方式を知らなければならない。埋め込みの設定は、１１ａトレーニング系列の後に１１ａ信号フィールドが続き、１１ａ信号フィールドが埋め込まれた信号を更に有するようにされてもよい。この埋め込まれた信号は、１１ｎトレーニング系列、その後に続く１１ｎ信号フィールド、及びその後に続く１１ｎペイロードを有してもよく、又は、１１ｎ信号フィールド、その後に続く１１ｎトレーニング系列、及びその後に続く１１ｎペイロードを有してもよく、又は１１ｎトレーニング系列、及びその後に続く１１ｎペイロードを有してもよく、他のオプションを除外しない。
【００５０】
図７に関して、前記埋め込みの原理は以下のとおりである。ＢＰＳＫ信号は、ＱＡＭ信号のサブセットを形成する。前記１１ａ装置は、良好なＱＡＭ信号を区別しないが、  ＢＰＳＫ信号を見るだけであり、前記１１ｎ装置は、より弱い振幅を補償するために複数のサブキャリアからの信号を結合する。前記１１ｎ信号は、例えば、７倍小さいが、４８のサブキャリア（及び複数のアンテナ）からの成分の追加からなる。前記埋め込みの形式は、以下のとおりである。前記１１ａ信号内の４ビットレート信号フィールドは、１１ａに対するビジー期間の持続期間を決定し、１１ｎに対する選択のセットを決定する。４ビットの埋め込まれたmimo信号フィールドのうち、２ビットは、並列ストリームの数を規定し（００：２つのストリームＳＴＢＣ Alamouti（オプション）、０１：２つのストリーム、１０：３つのストリーム（オプション）、１１：４つのストリーム（オプション））、２ビットは、符号レートを規定する（１１ａフィールドとして００、０１は代替レート、未来のアップグレード（ペイロードを無視する、チャネルをビジー状態と見なす）に対する１１、mimoリピータを動作する１０）。
【００５１】
前記１１ａ規格は、プリアンブルの後に信号フィールドが続き、その後にＭＡＣヘッダ及びデータが続くように規定する。ＴＧｎＳｙｎｃドラフトは、プリアンブルの後にスプーフィングされた信号が続き、その後にＨＴ信号が続き、その後にmimoトレーニングが続き、その後にＭＡＣヘッダ及びデータが続くことを提案する。本発明によると、例えば、プリアンブルの後に、埋め込まれた信号を有するスプーフィングされた信号が続き、その後にmimoトレーニングが続き、その後にＨＴ信号が後に続き、その後にＭＡＣヘッダ及びデータが後に続く。前記埋め込まれた信号は、後に続くmimoトレーニング系列の種類について前記１１ｎ受信器に通知し、１１ａ装置による前記信号フィールドの復号を妨害するべきでない。現在のＴｇｎＳｙｎｃと比較した利点は、前記ＨＴ信号フィールドに対する９０°回転されたＢＰＳＫモードに対して必要とされず、前記１１ｎ装置は、２つのモードにおける前記ＨＴ信号フィールドの同時処理を行う必要が無く、前記スプーフィングされた信号フィールドの直後に、１１ｎ受信器は何をすべきかを知り、追加のトレーニング系列は、前記ＨＴ信号フィールドの前に来ることができ、したがって、前記ＨＴ信号フィールドは、複数アンテナモードで送信されることができ、前記１１ｎ受信器は、低すぎないＳＮ比において前記埋め込みを検出することができる。現在のＴＧｎＳｙｎｃと比較した不利点は、純粋なＢＰＳＫ信号フィールドと比較される０．４６ｄＢの損失であるが、これは、非常に悪いチャネルをもつレガシー１１ａ装置に対する信号にしか影響を与えない。
【００５２】
前記埋め込みは、１６−ＱＡＭコンスタレーション点のいくつかを使用することができる。１１ｎフレームの信号フィールド内の４８のデータ搬送サブキャリアにおいて、ＢＰＳＫシンボル±１は送信されず、１６−ＱＡＭコンスタレーションからの近傍±(３±ｉ)／(１０)1/2の１つが送信され、これらは、既に正しいエネルギを持つ（再スケーリングが必要とされない）。１１ａ装置による検出に関して、コンスタレーション点(３±ｉ)／(１０)1/2の１つが１の代わりに使用される（及び他の点に対して同様）場合、サブキャリアｎ内の単一のビットエラーの確率は、(１／２)erfc(γn)1/2の代わりに(１／２)erfc{３／(１０)1/2(γn)1/2}であり、ここでγnはｎ番目のサブキャリア内のＳＮ比である。純粋な１１ａ信号フィールドと同じエラー確率を得るために、γavは、１０／９倍大きくなくてはならない。これは、０．４６ｄＢの損失に対応する。
【００５３】
低レートの１６−ＱＡＭ符号に対して、サブキャリアｎ内の埋め込まれた信号は、±１が送信される場合にｂn＝０、±(３＋ｉ)／(１０)1/2が送信される場合にｂn＝＋１、及びｂn＝±(３−ｉ)／(１０)1/2が送信されると規定されることができる。これにより、Ｋ＋１の符号語Ｂ＝(ｂ1,...,ｂ48)が規定され、これによりＢ0＝(０,０,...,０)は１１ａフレームを形成し、ｉ＝１,...,Ｋに対するＢi＝{±１}48は、ｉにより示される、あるモードにおいて１１ｎフレームを形成する。
【００５４】
前記送信器は、１１ａ信号フィールドＸ＝(ｘ1,...,ｘ48)及び埋め込まれた符号語Ｂを送信し、即ちｓn＝ｘnexp(ｉθｂn)、但しθ＝arctan(１／３)である。
【００５５】
埋め込まれた信号の検出に関して、受信された信号は、ｒn＝Ｈnｓn＋Ｎnである。１１ｎ装置による検出のために、第１のステップによって、１１ａ装置が行うのと同様に、１１ａ信号フィールドＸが検出される。これが正しく行われると、第２のステップによって、埋め込まれた信号のＭＭＳＥ検出が実行される。
【００５６】
Ｂ'は、|ｒnｘn−Ｈnexp(ｉθｂn)|2のｎ＝１から４８までの和のＢ＝{Ｂ0,Ｂ1,...,ＢK}に対するargminであり、図２及び３並びそれらの記述をも参照されたい。特にウォーターマーク検出器２７は、このＢ'演算を実行し、マッパ１６は、ｓn＝ｘnexp(ｉθｂn)演算を引き起こす。
【００５７】
ＩＥＥＥ８０２．１１ｎ（略して１１ｎ）規格は、ＩＥＥＥ８０１．１１ａ（略して１１ａ）規格を後継するものである。両方の規格は、同じ周波数帯域で動作するが、１１ｎは、１１ａ装置が復号することができない'ハイスループット'モードを持つ。レガシー１１ａ装置及び新しい１１ｎ装置は、しばらくの間おそらく共存し、同時に同じ周波数帯域（２０ＭＨｚ帯域）で動作することができなければならない。１１ｎフレームが１１ａフレームと'互換性'がある必要が無いが、１１ｎＳＴＡが１１ａモードを持つ、容易な"解決法"は、例えば、
−１１ａＳＴＡが存在する場合に全ての１１ｎ装置が１１ａモードにフォールバックする（fall back）こと、
−１１ｎＡＰが１１ａ装置を関連させないこと、
−１１ａＳＴＡが存在する場合に、１１ｎ装置が１１ｎフレーム送信の前に１１ａＲＴＳ／ＣＴＳフレームを常に使用し、前記１１ａ装置がＮＡＶを更新し、前記１１ｎフレームを無視すること、
−対象とする受信器が知られていないので、ＣＴＳ−トゥ−セルフ（CTS-to-self）が、より少ないオーバーヘッドを持つが、クリーンではないこと、
である。
【００５８】
第１の解決法は、混合１１ｂ／ｇネットワークで現在使用されているものである。１１ｇハードウェアを購入し、依然として古い１１ｂ装置を使用する人々は、性能の向上を見ない。第２の解決法（レガシー装置に対して妥協しない）は、技術的に最良の解決法であるが、互換性が無い。しかしながら、１１ａ装置が１１ｎアクセスポイントに関連することができないモードを持つことは道理に適っている。
【００５９】
目的は、１１ｎ装置間の高速モードを諦めずに１１ｎ及び１１ａが可能な限り互換性を持つモードを実現することである。１１ｎフレームは、以下のように信号で送られる。１１ｎフレームが（１１ａフレームと同様に）１１ａプリアンブル及び１１ａ信号フィールドで開始する場合、１１ａＳＴＡが前記フレーム（前記１１ａＳＴＡが復号することができず、したがって信号通知されることができる方がより良い）の持続期間を推定することができ、かつ１１ｎＳＴＡが前記フレームの持続期間を推定し、１１ａフレームではなく１１ｎフレームであることを検出し、この結果、前記１１ｎＳＴＡは前記フレームを適切に解釈することができる。この場合、１１ｎＳＴＡによる１１ｎフレームの受信は可能であり、１１ａＳＴＡは、少なくとも前記１１ｎ送信がどれだけ長くかかるかを知り、これにより前記１１ｎフレームを完全なでたらめ（gibberish）と見なさず、（使用するＣＣＡ機構に依存して）いずれにしろ独自のメッセージを送信するか、又は前記ネットワークから分離する。これは、以下のステップにより構成されることができる。
−ステップ１：Ｎのアンテナを有するmimo送信器に対して、前記１１ｎプリアンブルがＮの１１ａプリアンブルからなり、ｊ番目の１１ａプリアンブルが、アンテナｉにＱij×１１ａプリアンブル信号を送信させることにより形成されるものとする。ＱがランクＮを持つ（例えば直交である）場合、完全なチャネルマトリクスが推定されることができる。
−ステップ２：（Ｑの第１列を有する）プリアンブルの第１の相と、後に続く（Ｑの第１列を有する）信号フィールドを送信し、レート及び長さフィールドは、１１ａＳＴＡがフレーム全体の持続期間を計算することができるように設定されるべきである。
−ステップ３：Ｎ＞１であるかどうかが信号通知され、肯定であればＮの値である。
−ステップ４：（列２,...,Ｎを有する）プリアンブルの残りのＮ−１相と、続いて、バイト数、前記フレームの残りで使用される変調及び符号に関して前記受信器に通知する新しい１１ｎ信号フィールドとを送信する。
【００６０】
前記１１ａ信号フィールドにおいて、'未来の使用に対して予約された'１ビットが存在するが、１１ａに対して０であることは必要とされない。したがって、信号通知は他の形で行われなければならない。可能な解決法は、電力変調による前記プリアンブルにおける埋め込みであり得る。長いプリアンブルにおいて、５２全てのサブキャリアが、使用され、振幅Ｌｉ＝±１を持つ。これらの振幅が若干修正され、
Ｌi＝(１＋αｗi)1/2Ｌiであり、ここで０＜α＜１及びｗi＝{−１,＋１}であり、ｗiのｉ＝１から５２までの和がゼロに等しい場合、合計の送信されたエネルギは同じままである。後の信号フィールドにおいて、同じ乗算が使用される。このプリアンブルを受信する１１ａＳＴＡは、前記チャネルが乱れている（wild）と結論付けるが、依然として前記信号フィールドを復号することができる。このパケットの残りは、１１ｎモードで送信されるので、復号されることができない。１１ｎＳＴＡは、パターンｗiを持つ変調の存在から、前記フレームが１１ｎフレームであると結論付け、前記チャネルを推定し、既知のαｗiを補正し、前記１１ｎモードに切り替えなければならない。
【００６１】
ウォーターマーク検出に関して、前記１１ｎ受信器は、各サブキャリアにおける受信された電力Ｐiを測定し、Ｐiのｉ＝１から５２までの和Ｓと、Ｐiｗiのｉ＝１から５２までの和Ｔを計算する。このアイデアは、Ｔが実質的にαＳに等しいというものである。これは、前記チャネルがフラットフェージング（flat fading）である（即ち全てのサブキャリアにおいて等しい、全てのｉに対してＰi＝(１＋αｗi)Ｐ）場合に完全に機能する。変数決定ρ:＝Ｔ／Ｓである。閾値はθであり、ρ＞θである場合、前記ウォーターマークは存在すると推測され、ρ＜θである場合、不在であると推測される。閾値θは、(０,α)内であるべきである。
【００６２】
上述の実施例が本発明を限定するのではなく説明し、当業者が添付の請求項の範囲から逸脱することなく多くの代替実施例を設計することができることに注意すべきである。請求項において、括弧間に配置された参照符号は前記請求項を限定するように解釈されるべきでない。動詞"有する"及びその活用形の使用は、請求項に記載されたもの以外の要素又はステップの存在を除外しない。要素に先行する冠詞"１つの"は、複数のこのような要素の存在を除外しない。本発明は、複数の別個の要素を有するハードウェアを用いて、及び適切にプログラムされたコンピュータを用いて実施され得る。複数の手段を列挙する装置請求項において、これらの手段のいくつかは同一のハードウェアアイテムにより実施され得る。特定の方策が相互に依存する請求項に記載されているという単なる事実は、これらの方策の組み合わせが有利に使用されることができないことを示さない。
【図面の簡単な説明】
【００６３】
【図１】多入力多出力装置を概略的に示す。
【図２】本発明による模範的な送信器を概略的に示す。
【図３】本発明による模範的な受信器を概略的に示す。
【図４】模範的な検出のフローチャートを示す。
【図５】８０２．１１ａ信号のフィールドの構造を示す。
【図６】模範的な変調を示す。
【図７】模範的な変調コンスタレーションを示す。
【図１】
2008502197.tif 000003
【図２】
2008502197.tif 000004
【図３】
2008502197.tif 000005
【図４】
2008502197.tif 000006
【図５】
2008502197.tif 000007
【図６】
2008502197.tif 000008
【図７】
2008502197.tif 000009
【国際調査報告】
2008502197.tif 000010
2008502197.tif 000011
2008502197.tif 000012